(57)【要約】【課題】カードの逆挿入を抑制することのできる電磁継電器を得る。【解決手段】カード６の回動軸部６３が嵌合する軸受部２１を穴形状にするとともに、回動軸部６３の一端部に軸受部２１の内径Ｄ０よりも径Ｄ１が大径の拡径部６３ｃを設けた。こうして、カード６を表裏逆にした状態で回動軸部６３を軸受部２１に挿入させようとした際に、当該拡径部６３ｃによって回動軸部６３の軸受部２１への挿入を阻止できるようにした。【選択図】図３
2012059510.tif 000002
【特許請求の範囲】
【請求項１】
ベース部に設置される電磁石ブロックと、当該電磁石ブロックの励磁によって復帰自在に回動するアーマチュアと、当該アーマチュアと対峙し、前記ベース部に支持される接点部と、前記アーマチュアと前記接点部との間に配置され前記アーマチュアの回動変位を前記接点部に伝達するカードと、を備える電磁継電器であって、
前記カードは、当該カードに設けられた回動軸部を前記ベース部に設けられた軸受部に回動自在に嵌合させることで前記ベース部に回動自在に組み付けられており、
前記軸受部は、前記アーマチュアと前記接点部との対峙方向と交叉する方向から前記回動軸部が挿入される穴形状をしており、
前記回動軸部の一端部には、前記軸受部の内径よりも大径の拡径部が設けられていることを特徴とする電磁継電器。
【請求項２】
前記軸受部には、前記拡径部を受容する拡幅凹部が設けられていることを特徴とする請求項１に記載の電磁継電器。
【請求項３】
前記回動軸部における前記拡径部の他端側には、前記軸受部の内径よりも小径の挿入部が設けられており、
前記挿入部には、前記軸受部の内周に回動自在にほぼ密接する第２の拡径部が設けられていることを特徴とする請求項１または請求項２に記載の電磁継電器。
【請求項４】
前記軸受部には、前記回動軸部の挿入をガイドするテーパ状のガイド部が設けられていることを特徴とする請求項１〜３のうちいずれか１項に記載の電磁継電器。
【発明の詳細な説明】
【技術分野】
【０００１】
本発明は、アーマチュアの回動変位をカードを介して接点部に伝達させる電磁継電器に関する。
【背景技術】
【０００２】
従来、電磁継電器として、ばね付勢されたアーマチュアを電磁石ブロックに回動自在に配置し、当該アーマチュアの回動変位をカードを介して接点部に伝達させるようにしたものが知られている（例えば、特許文献１参照）。
【０００３】
この特許文献１では、カードの下端部に設けた回動軸部をベース部に設けた軸受部に横から差し込んで嵌合させることで、カードをアーマチュアと接点部との間に回動自在に取り付けている。
【先行技術文献】
【特許文献】
【０００４】
【特許文献１】特開平９−３２０４４１号公報
【発明の概要】
【発明が解決しようとする課題】
【０００５】
しかしながら、かかる従来の電磁継電器では、カードを表裏逆にした状態でも回動軸部を軸受部に嵌合させることができる構成となっている。そのため、カードを誤って表裏逆に組み付けてしまい、アーマチュアの回動変位を適正に接点部に伝達させることができなくなってしまうおそれがあった。
【０００６】
そこで、本発明は、カードの逆挿入を抑制することのできる電磁継電器を得ることを特徴とする。
【課題を解決するための手段】
【０００７】
本発明にあっては、ベース部に設置される電磁石ブロックと、当該電磁石ブロックの励磁によって復帰自在に回動するアーマチュアと、当該アーマチュアと対峙し、前記ベース部に支持される接点部と、前記アーマチュアと前記接点部との間に配置され前記アーマチュアの回動変位を前記接点部に伝達するカードと、を備える電磁継電器であって、前記カードは、当該カードに設けられた回動軸部を前記ベース部に設けられた軸受部に回動自在に嵌合させることで前記ベース部に回動自在に組み付けられており、前記軸受部は、前記アーマチュアと前記接点部との対峙方向と交叉する方向から前記回動軸部が挿入される穴形状をしており、前記回動軸部の一端部には、前記軸受部の内径よりも大径の拡径部が設けられていることを主な特徴とする。
【発明の効果】
【０００８】
本発明によれば、カードの回動軸部が嵌合する軸受部を穴形状にするとともに、回動軸部の一端部に軸受部の内径よりも大径の拡径部を設けている。そのため、カードを表裏逆にした状態で回動軸部を軸受部に挿入させようとしても、拡径部によって回動軸部の軸受部への挿入が阻止される。その結果、カードの逆挿入を抑制することができる。
【図面の簡単な説明】
【０００９】
【図１】図１は、本発明の第１実施形態にかかる電磁継電器を示す斜め上方から見た斜視図である。
【図２】図２は、本発明の第１実施形態にかかる電磁継電器のカード取付部を透視して示す斜め上方から見た斜視図である。
【図３】図３は、本発明の第１実施形態にかかる電磁継電器のカード取付部を断面して示す斜め下方から見た斜視図である。
【図４】図４は、図３中Ａ部の拡大断面図である。
【図５】図５は、本発明の第２実施形態にかかる電磁継電器のカード取付部を断面して示す斜め下方から見た斜視図である。
【図６】図６は、図５中Ｂ部の拡大断面図である。
【図７】図７は、本発明の第３実施形態にかかる電磁継電器のカード取付部を透視して示す斜め上方から見た要部拡大斜視図である。
【図８】図８は、本発明の第３実施形態にかかる電磁継電器のカード取付部を断面して示す斜め下方から見た斜視図である。
【図９】図９は、図８中Ｃ部の拡大断面図である。
【図１０】図１０は、本発明の第４実施形態にかかる電磁継電器のカード取付部を断面して示す斜め下方から見た斜視図である。
【図１１】図１１は、図１０中Ｄ部の拡大断面図である。
【発明を実施するための形態】
【００１０】
以下、本発明の実施形態について図面を参照しつつ詳細に説明する。なお、以下の複数の実施形態には、同様の構成要素が含まれている。よって、以下では、それら同様の構成要素には共通の符号を付与するとともに、重複する説明を省略する。また、以下では、便宜上、アーマチュアと接点部との対峙方向アーマチュア側を左右方向左側、接点部側を左右方向右側として説明する。また、カードのベース部への挿脱方向離脱側を前後方向前側、挿入方向を前後方向後側として説明する。また、ベース部の電磁石ブロックが設置される側を上下方向上側として説明する。
【００１１】
（第１実施形態）
本実施形態にかかる電磁継電器１は、ベース部２の上壁２ａの左右方向左側端部に設置された電磁石ブロック３と、当該電磁石ブロック３に回動自在に取り付けられるアーマチュア４と、を備えている。また、ベース部２の上壁２ａの左右方向右側端部には、接点部５がアーマチュア４と間隔を設けて対峙するように支持されている。そして、アーマチュア４と接点部５との間には、アーマチュア４の回動変位を接点部５に伝達するカード６が配置されている。
【００１２】
電磁石ブロック３は、合成樹脂などの絶縁材料で円筒状に形成したスプールを有しており、このスプールの外周にコイル３１が巻回されているとともに、スプールの中心軸に鉄芯３２が配置されている。そして、電磁石ブロック３は、スプールの下端面からコイル３１のアーマチュア４配置側の側面に沿ってＬ字状に折曲したヨーク３３を備えている。なお、符号３１ａおよび３１ｂはコイル３１の端子である。
【００１３】
ヨーク３３は、鉄などの軟磁性材料によって形成されている。そして、図２に示すように、スプールの下端から突出する鉄芯３２の下端部が、圧入または加締めによってヨーク３３の下壁部３３ａに取り付けられている。この鉄芯３２の下端部のヨーク３３の下壁部３３ａへの圧入または加締めによって、ヨーク３３と鉄芯３２とが一体に結合されている。
【００１４】
また、スプールの上端には鍔部３４が設けられており、この鍔部３４の４隅には上方に立ち上がる規制壁３４ａがそれぞれ形成されている。そして、前後に位置する規制壁３４ａの間には、アーマチュア４の上壁部４ａが配置されており、アーマチュア４の回動時には、上壁部４ａが規制壁３４ａによってガイドされるようになっている。なお、鍔部３４の中央部には開口部が形成されており、この開口部から鉄芯３２の上端部が露出している。
【００１５】
アーマチュア４は、鉄などの軟磁性材料によって形成されている。このアーマチュア４は、ヨーク３３とは上下が逆となるＬ字状に折曲されており、ヨーク３３の側壁部３３ｂの外側に配置されている。すなわち、アーマチュア４は、スプールの上側に配置される上壁部４ａと、この上壁部４ａに対してほぼ直角に折曲しヨーク３３の側壁部３３ｂの外側に沿って垂下する側壁部４ｂとを備えている。
【００１６】
そして、上壁部４ａと側壁部４ｂとの間の折曲部４ｃが、ヨーク３３の側壁部３３ｂの上端に回動自在に係止されている。このとき、アーマチュア４は、図示せぬスプリングによって、側壁部４ｂがヨーク３３の側壁部３３ｂに近接する方向（図１における時計回り方向）に付勢されている。
【００１７】
したがって、初期状態（電磁石ブロック３が無励磁の状態）では、上壁部４ａは、スプリングの付勢力によって鉄芯３２の上壁面から離隔された状態となっている。
【００１８】
そして、コイル３１に通電して電磁石ブロック３が励磁されると、アーマチュア４の上壁部４ａが鉄芯３２の上壁部に引き寄せられ、アーマチュア４は折曲部４ｃを中心に側壁部４ｂがヨーク３３の側壁部３３ｂから離れる方向（図１における反時計回り方向）に回動する。なお、コイル３１への通電を遮断すると電磁石ブロック３が消磁するため、アーマチュア４の上壁部４ａを引き寄せる吸引力が無くなり、アーマチュア４はスプリングの付勢力によって初期状態に復帰する。
【００１９】
このように、アーマチュア４は、電磁石ブロック３の励磁によって復帰自在に回動するように、電磁石ブロック３に取り付けられている。
【００２０】
接点部５は、アーマチュア４側に配置される可動接点部５１と、可動接点部５１に対してアーマチュア４とは反対側（可動接点部５１の右側）に、可動接点部５１と対向するように配置される固定接点部５２と、を備えている。
【００２１】
可動接点部５１は、導電性材料の板ばねで形成された可動接点板５１ａと、この可動接点板５１ａの固定接点部５２と対向する側の面に取り付けられる可動接点５１ｂとを備えている。そして、可動接点部５１の端子５１ｃがベース部２の下方に突出している。
【００２２】
固定接点部５２は、導電性を有するとともに可動接点板５１ａよりも剛性の高い材料で形成された板状の固定接点板５２ａと、この固定接点板５２ａの可動接点５１ｂと対向する側の面に取り付けられる固定接点５２ｂとを備えている。そして、固定接点部５２の端子５２ｃがベース部２の下方に突出している。なお、初期状態（電磁石ブロック３が無励磁の状態）では、可動接点５１ｂと固定接点５２ｂとの間には所定のギャップが設けられている。
【００２３】
そして、電磁石ブロック３の励磁によってアーマチュア４が回動すると、このアーマチュア４の回動変位がカード６を介して可動接点板５１ａに伝達され、可動接点板５１ａが固定接点部５２方向に撓み変形して可動接点５１ｂと可動接点５２ｂとが接触する。なお、電磁石ブロック３を消磁させると、可動接点板５１ａはアーマチュア４とともに初期状態に復帰し、可動接点５１ｂと可動接点５２ｂとが離間する。
【００２４】
カード６はアーマチュア４と接点部５との間に介在しており、一側部（左側）６ａにアーマチュア４の側壁部４ｂの下部に当接する受圧部６１が突設されているとともに、他側部（右側）６ｂに接点部５の可動接点板５２ａの上部に当接する押圧部６２が突設されている。このカード６の下端部には、図３および図４に示すように、略円柱状の挿入部６３ｆを有する回動軸部６３が設けられている。そして、この回動軸部６３の挿入部６３ｆをベース部２に形成した軸受穴（軸受部）２１に回動自在に嵌合させることで、カード６がベース部２に回動自在に組み付けられている。なお、カード６は、合成樹脂などの絶縁材料によって形成されており、受圧部６１、押圧部６２および回動軸部６３が一体に成形されている。
【００２５】
軸受穴（軸受部）２１は、アーマチュア４と接点部５との対峙方向（左右方向）と交叉する方向（本実施形態では、前後方向前方）から回動軸部６３が挿入される穴形状をしている。具体的には、軸受穴２１は、ベース部材２の前後方向（ベース部２の短手方向：幅方向）に、前方から後方に向けて延在するように形成されている。すなわち、軸受穴２１は、ベース部２の前側壁２ｂの前側面２ｃが開口する開口部２１ａ（図４参照）が形成されるように、ベース部２に形成されている。
【００２６】
このように、本実施形態では、カード６のベース部２への挿脱方向は、前後方向（アーマチュア４と接点部５との対峙方向と交叉する方向）となっている。
【００２７】
また、ベース部２の上壁２ａには、所定幅のスリット状の開口部２２が軸受穴２１と連通するように形成されており、この開口部２２は、ベース部２の前側壁２ｂ側にも開口するように形成されている。このような開口部２２をベース部２に形成することで、回動軸部６３を軸受穴２１に挿入する際に、カード６の下端部をスリット状の開口部２２に差し込むことができるようにしている。このとき、スリット状の開口部２２幅がカード６の下端部の厚さよりも若干広くなるように開口部２２を形成しており、カード６を回動軸部６３を中心に左右回動させることができるようになっている。なお、軸受穴２１は、開口部２１ａとは反対側となる奥側（前後方向後側）が閉止されている。
【００２８】
ここで、本実施形態では、回動軸部６３の挿入側となる先端部６３ａとは反対側の基端部（一端部）６３ｂに、軸受穴２１の内径Ｄ０よりも径Ｄ１が大径となる鍔状の基端拡径部（拡径部）６３ｃを設けている。なお、基端拡径部６３ｃは、軸方向に厚さｔを有しており、裏面６３ｄが回動軸部６３の延在方向に対して直角な平坦面となっている。
【００２９】
そして、基端拡径部６３ｃは、回動軸部６３の挿入部６３ｆを軸受穴２１に挿入してカード６を正規の位置に組み付けた際に、図４に示すように、裏面６３ｄがベース部２の側面２ｂの開口部２１ａ周縁部に当接するようになっている。すなわち、開口部２１ａ周縁部が基端拡径部６３ｃの係止部Ｓとなっている。なお、本実施形態では、カード６は、回動軸部６３の基端拡径部６３ｃがベース部２の前側壁２ｂから前方に突出した状態で、ベース部２に組み付けられる。
【００３０】
カード６のベース部２への組み付けは、以下のようにして行われる。
【００３１】
まず、ベース部２に予め電磁石ブロック３と接点部５を組み付ける。次に、ヨーク３３の側面部３３ｂの上端に折曲部４ｃを係止させるようにアーマチュア４を取り付ける。そして、カード６を回動軸部６３の先端部６３ａが後方を向くように配置した状態で、回動軸部６３の挿入部６３ｆを前後方向前方から軸受穴２１に挿入する。このとき、基端拡径部６３ｃの裏面６３ｄがベース部２の側面２ｂ（係止部Ｓ）に当接するまで回動軸部６３の挿入部６３ｆを軸受穴２１に挿入する。
【００３２】
こうして、カード６が、アーマチュア４と接点部５との間に位置するようにベース部２に組み付けられる。
【００３３】
かかる構成とすることで、アーマチュア４が回動変位した際には、アーマチュア４の回動変位が受圧部６１に入力されてカード６全体が回動軸部６３を中心として接点部５側に回動する。そして、カード６が接点部５側に回動することで、可動接点板５２ａが押圧部６２によって押圧されて撓み、この撓みによって可動接点５１ｂと固定接点５２ｂとが接触することとなる。
【００３４】
以上説明したように、本実施形態では、軸受穴２１をベース部２に形成するとともに、軸受穴２１をカード６の回動軸部６３を嵌合させる穴形状としている。そして、回動軸部６３の基端部（一端部）６３ｂに、軸受穴２１の内径Ｄ０よりも径Ｄ１が大径の基端拡径部（拡径部）６３ｃを設けている。
【００３５】
そのため、カード６を表裏逆にした状態で基端部６３ｂから軸受穴２１に挿入しようとしても、基端拡径部６３ｃによって回動軸部６３の軸受穴２１への挿入が邪魔されて回動軸部６３の軸受穴２１への挿入が阻止される。すなわち、本実施形態にかかるカード６は、回動軸部６３の先端部６３から軸受穴２１に挿入しないと、ベース部２に組み付けられないようになっている。したがって、回動軸部６３は必ず正規の状態で挿入しなければならず、カード６の逆組み付けを確実に防止することができる。
【００３６】
このように、本実施形態によれば、カード６の逆挿入を抑制することのできる電磁継電器１を得ることができる。
【００３７】
（第２実施形態）
本実施形態にかかる電磁継電器１Ａは、基本的に上記第１実施形態で示した電磁継電器１と同様の構成をしている。
【００３８】
すなわち、本実施形態にかかる電磁継電器１Ａも、ベース部２の上壁２ａの左右方向左側端部に設置された電磁石ブロック３と、当該電磁石ブロック３に回動自在に取り付けられるアーマチュア４と、を備えている。また、ベース部２の上壁２ａの左右方向右側端部には、接点部５がアーマチュア４と間隔を設けて対峙するように支持されている。そして、アーマチュア４と接点部５との間には、アーマチュア４の回動変位を接点部５に伝達するカード６が配置されている。
【００３９】
ここで、本実施形態にかかる電磁継電器１Ａが上記第１実施形態の電磁継電器１と主に異なる点は、図５および図６に示すように、カード６をベース部２に組み付けた際に、回動軸部６３の基端拡径部６３ｃを受容する拡幅凹部２１ｂを軸受穴２１に設けた点にある。
【００４０】
具体的には、拡幅凹部２１ｂは、図６に示すように、軸受穴２１の開口部２１ａ側であってベース部２の前側面２ｃに開放されるように形成されている。そして、拡幅凹部２１ｂの内径Ｄ２は基端拡径部６３ｃの直径Ｄ１以上となるように形成されている。また、拡幅凹部２１ｂの深さｄは、少なくとも基端拡径部６３ｃの厚さｔ（図４参照）以上となるように形成されている。
【００４１】
さらに、本実施形態では、拡幅凹部２１ｂの底部２１ｃは、軸受穴２１の中心軸に対して直角な平坦面に形成されており、底部２１ｃが基端拡径部６３ｃの係止部Ｓとなっている。
【００４２】
以上の本実施形態によっても、上記第１実施形態と同様の作用、効果を奏することができる。
【００４３】
また、本実施形態によれば、軸受穴２１に拡幅凹部２１ｂを設け、この拡幅凹部２１ｂに回動軸部６３の基端拡径部６３ｃを受容できるようにしている。そのため、基端拡径部６３ｃがベース部２の前側面２ｃから突出してしまうのを抑制することができ、電磁継電器１Ａの幅方向の小型化を図ることができる。
【００４４】
（第３実施形態）
本実施形態にかかる電磁継電器１Ｂは、基本的に上記第２実施形態で示した電磁継電器１Ａと同様の構成をしている。
【００４５】
すなわち、本実施形態にかかる電磁継電器１Ｂも、ベース部２の上壁２ａの左右方向左側端部に設置された電磁石ブロック３と、当該電磁石ブロック３に回動自在に取り付けられるアーマチュア４と、を備えている。また、ベース部２の上壁２ａの左右方向右側端部には、接点部５がアーマチュア４と間隔を設けて対峙するように支持されている。そして、アーマチュア４と接点部５との間には、アーマチュア４の回動変位を接点部５に伝達するカード６が配置されている。
【００４６】
ここで、本実施形態にかかる電磁継電器１Ｂが上記第２実施形態の電磁継電器１Ａと主に異なる点は、図７から図９に示すように、挿入部６３ｆに、軸受部２１の内周に回動自在にほぼ密接する先端拡径部（第２の拡径部）６３ｅを設けた点にある。
【００４７】
具体的には、図９に示すように、回動軸部６３における基端拡径部（拡径部）６３ｃの他端側（前後方向後側）に、軸受部２１の内径Ｄ０よりも径Ｄ３が小径の挿入部６３ｆを設けている。この挿入部６３ｆは、基端拡径部（拡径部）６３ｃに一体に連設されている。
【００４８】
そして、挿入部６３ｆの挿入側である先端部（回動軸部６３の先端部６３ａ）に、軸受穴２１の内周に回動自在にほぼ密接する先端拡径部６３ｅを設けている。なお、先端拡径部６３ｅの直径Ｄ４は、軸受穴２１の内径Ｄ０を越えない範囲でほぼ等しくなるように形成（Ｄ４≒Ｄ０）されている。
【００４９】
回動軸部６３をこのような形状とすることで、回動軸部６３は基端拡径部６３ｃと先端拡径部６３ｅとで軸受穴２１に支持されることになる。このため、基端拡径部６３ｃが嵌合する拡幅凹部２１ｂの内径Ｄ２は、基端拡径部６３ｃの直径Ｄ１よりも小さくならない範囲でほぼ等しく形成（Ｄ２≒Ｄ１）しておくことが好ましい。
【００５０】
以上の本実施形態によっても、上記第２実施形態と同様の作用、効果を奏することができる。
【００５１】
また、本実施形態によれば、挿入部６３ｆの挿入側である先端部（回動軸部６３の先端部６３ａ）に、軸受穴２１の内周に回動自在にほぼ密接する先端拡径部（第２の拡径部）６３ｅを設けている。そのため、回動軸部６３は基端拡径部６３ｃと先端拡径部６３ｅの２箇所で軸受穴２１に支持されることなる。その結果、回動軸部６３の軸受穴２１との接触面積が減少するため、回動軸部６３の回転抵抗が小さくなって円滑な回動が可能となり、アーマチュア４の回動変位をスムーズに接点部５に伝達することができる。
【００５２】
また、挿入部６３ｆの先端部に先端拡径部（第２の拡径部）６３ｅを設けることで、回動軸部６３が軸方向両端で軸受穴２１に支持されるようになるため、回動軸部６３をより安定して支持することができる。
【００５３】
なお、上記第１実施形態にあっても本実施形態にかかる構成を適用することが可能である。
【００５４】
（第４実施形態）
本実施形態にかかる電磁継電器１Ｃは、基本的に上記第３実施形態で示した電磁継電器１Ｂと同様の構成をしている。
【００５５】
すなわち、本実施形態にかかる電磁継電器１Ｃも、ベース部２の上壁２ａの左右方向左側端部に設置された電磁石ブロック３と、当該電磁石ブロック３に回動自在に取り付けられるアーマチュア４と、を備えている。また、ベース部２の上壁２ａの左右方向右側端部には、接点部５がアーマチュア４と間隔を設けて対峙するように支持されている。そして、アーマチュア４と接点部５との間には、アーマチュア４の回動変位を接点部５に伝達するカード６が配置されている。
【００５６】
ここで、本実施形態にかかる電磁継電器１Ｃが上記第３実施形態の電磁継電器１Ｂと主に異なる点は、図１０および図１１に示すように、軸受部２１に、回動軸部６３の挿入をガイドするテーパ状のガイド部を設けた点にある。
【００５７】
具体的には、軸受穴２１の基端拡径部６３ｃを係止する係止部Ｓにテーパ部（テーパ状のガイド部）２１ｄを設けている。
【００５８】
本実施形態では、基端拡径部６３ｃの係止部Ｓは、拡幅凹部２１ｂの底部２１ｃとなっており、テーパ部２１ｄは、底部２１ｃから軸受穴２１の奥側に向かって徐々に縮径する形状をしている。
【００５９】
なお、底部２１ｃに形成したテーパ部２１ｄの外側内径Ｄ５は、回動軸部６３の挿入側の先端部６３ａ（本実施形態では先端拡径部６３ｅ）の直径Ｄ４よりも大径で、基端拡径部６３ｃの直径Ｄ１よりも小径となっている。
【００６０】
以上の本実施形態によっても、上記第３実施形態と同様の作用、効果を奏することができる。
【００６１】
また、本実施形態によれば、軸受部２１に、回動軸部６３の挿入をガイドするテーパ状のガイド部を設けている。すなわち、軸受穴２１の係止部Ｓにテーパ部２１ｄを設けている。そのため、回動軸部６３を軸受穴２１に挿入する際に、回動軸部６３の先端部６３ａを係止部Ｓに引っ掛けることなくスムーズに挿入することが可能となり、カード６の組み付けを容易に行うことができる。
【００６２】
なお、上記第１および第２実施形態にあっても、本実施形態にかかる構成を適用することが可能である。
【００６３】
以上、本発明の好適な実施形態について説明したが、本発明は上記実施形態に限定されるものではなく、種々の変形が可能である。
【００６４】
例えば、カードは上記実施形態で示したものに限られるものではなく、軸受部に挿入される回動軸部を介して回動自在となったカードであればよい。
【００６５】
また、電磁石ブロック、接点部およびアーマチュアやベース部、その他細部のスペック（形状、大きさ、レイアウト等）も適宜に変更可能である。
【符号の説明】
【００６６】
１、１Ａ、１Ｂ、１Ｃ  電磁継電器
２  ベース部
２１  軸受穴（軸受部）
２１ｂ  拡幅凹部
２１ｄ  テーパ部（テーパ状のガイド部）
３  電磁石ブロック
４  アーマチュア
５  接点部
６  カード
６３  回動軸部
６３ｂ  基端部（一端部）
６３ｃ  基端拡径部（拡径部）
６３ｅ  先端拡径部（第２の拡径部）
６３ｆ  挿入部
Ｓ  係止部
【図１】
2012059510.tif 000003
【図２】
2012059510.tif 000004
【図３】
2012059510.tif 000005
【図４】
2012059510.tif 000006
【図５】
2012059510.tif 000007
【図６】
2012059510.tif 000008
【図７】
2012059510.tif 000009
【図８】
2012059510.tif 000010
【図９】
2012059510.tif 000011
【図１０】
2012059510.tif 000012
【図１１】
2012059510.tif 000013